(57)【要約】【課題】テレビ画面とブラウザ画面とが同時に表示可能な映像表示装置において、少ないスクロール量でホームページを閲覧でき、良好な操作性が得られるようにする。【解決手段】  開示される映像表示装置は、テレビ画面とインターネットに接続して得られたブラウザ画面が同時に表示部７を構成するディスプレイに表示可能なものである。この映像表示装置では、ディスプレイの表示領域を映像信号ＶＴから得られるテレビ画面を表示すべきテレビ画面表示領域と、ブラウザ信ＢＳから得られるブラウザ画面を表示すべきブラウザ画面表示領域とに分割している。そして、テレビ画面表示領域には、映像信号ＶＴから得られるテレビ画面をそのアスペクト比を維持してテレビ画面表示領域の解像度に適合させて表示している。一方、ブラウザ画面表示領域には、ブラウザ画面を当該表示領域全体にわたって表示している。【選択図】  図１
2008079077.tif 000002
【特許請求の範囲】
【請求項１】
テレビ画面とインターネットに接続して得られたブラウザ画面が同時にディスプレイに表示可能な映像表示装置であって、
前記ディスプレイの表示領域を前記テレビ画面を表示すべきテレビ画面表示領域と、前記ブラウザ画面を表示すべきブラウザ画面表示領域とに分割し、
前記テレビ画面表示領域には、映像信号から得られる前記テレビ画面をそのアスペクト比を維持して前記テレビ画面表示領域の解像度に適合させて表示するとともに、前記ブラウザ画面表示領域には、前記ブラウザ画面を当該表示領域全体にわたって表示する
ことを特徴とする映像表示装置。
【請求項２】
テレビ画面とインターネットに接続して得られたブラウザ画面が同時にディスプレイに表示可能な映像表示装置であって、
前記インターネットに接続して得られたデータに基づいて、前記ディスプレイの表示領域のうち、前記ブラウザ画面を表示すべきブラウザ画面表示領域を決定するとともに、前記ディスプレイの表示領域のうち、残りの表示領域を前記テレビ画面を表示すべきテレビ画面表示領域と決定し、
前記ブラウザ画面表示領域には、前記ブラウザ画面を当該表示領域全体にわたって表示するとともに、前記テレビ画面表示領域には、映像信号から得られる前記テレビ画面をそのアスペクト比を維持して前記テレビ画面表示領域の解像度に適合させて表示する
ことを特徴とする映像表示装置。
【請求項３】
前記インターネットに接続して得られたテキストデータに含まれる表示のために最適化された水平方向のドット数に関する文字列、前記インターネットに接続して得られた画像データの表示のために最適な縦横比、前記インターネットに接続して得られた前記テキストデータの１行当たりの最大文字数のいずれかに基づいて、前記ブラウザ画面表示領域を決定する
ことを特徴とする請求項２に記載の映像表示装置。
【請求項４】
前記テレビ画面と前記ブラウザ画面とを合成した画面に関する映像信号を外部モニタに供給する
ことを特徴とする請求項１乃至３のうちのいずれかに記載の映像表示装置。
【請求項５】
テレビ画面とインターネットに接続して得られたブラウザ画面が同時にディスプレイに表示可能な映像表示装置における多画面表示方法であって、
前記ディスプレイの表示領域を前記テレビ画面を表示すべきテレビ画面表示領域と、前記ブラウザ画面を表示すべきブラウザ画面表示領域とに分割し、
前記テレビ画面表示領域には、映像信号から得られる前記テレビ画面をそのアスペクト比を維持して前記テレビ画面表示領域の解像度に適合させて表示するとともに、前記ブラウザ画面表示領域には、前記ブラウザ画面を当該表示領域全体にわたって表示する
ことを特徴とする多画面表示方法。
【請求項６】
テレビ画面とインターネットに接続して得られたブラウザ画面が同時にディスプレイに表示可能な映像表示装置における多画面表示方法であって、
前記インターネットに接続して得られたデータに基づいて、前記ディスプレイの表示領域のうち、前記ブラウザ画面を表示すべきブラウザ画面表示領域を決定するとともに、前記ディスプレイの表示領域のうち、残りの表示領域を前記テレビ画面を表示すべきテレビ画面表示領域と決定し、
前記ブラウザ画面表示領域には、前記ブラウザ画面を当該表示領域全体にわたって表示するとともに、前記テレビ画面表示領域には、映像信号から得られる前記テレビ画面をそのアスペクト比を維持して前記テレビ画面表示領域の解像度に適合させて表示する
ことを特徴とする２画面表示方法。
【請求項７】
前記インターネットに接続して得られたテキストデータに含まれる表示のために最適化された水平方向のドット数に関する最適化文字列を検索し、前記最適化文字列があった場合には、前記最適化文字列に基づいて、前記ブラウザ画面表示領域を決定する第１のステップと、
前記最適化文字列がなかった場合には、前記インターネットに接続して得られたデータについて、画像データがあるか否かを検索し、前記画像データがあった場合には、全部又は一部の前記画像データの縦横比に基づいて、前記ブラウザ画面表示領域を決定する第２のステップと、
前記インターネットに接続して得られたデータに前記最適化文字列及び前記画像データがなかった場合には、前記テキストデータの１行当たりの最大文字数を求め、前記最大文字数を有する行に基づいて、前記ブラウザ画面表示領域を決定する第３のステップと
を有することを特徴とする請求項６に記載の多画面表示方法。
【発明の詳細な説明】
【技術分野】
【０００１】
本発明は、受信又は外部入力端子から入力した映像信号に基づく画面（以下、「テレビ画面」と称する。）とインターネットに接続して得られブラウザにより表示される画面（以下、「ブラウザ画面」と称する。）が同時に表示可能なテレビジョン受信機等の映像表示装置及び、上記テレビ画面及び上記ブラウザ画面を同時に表示する多画面表示方法に関する。
【背景技術】
【０００２】
最近では、テレビ画面とブラウザ画面が同時に表示可能なテレビジョン受信機等の映像表示装置がある。この種の映像表示装置には、従来、少なくとも１画面にブラウザ画面とテレビ画面とを同時表示させる装置と、インターネット端末が通信中であることを検出する検出手段と、通信中は自動的に画面を複数画面のモードに切り替える切替手段とを備えているものがある（例えば、特許文献１参照。）。
【０００３】
【特許文献１】特開平１０−４２２０５号公報（請求項１，［００３５］〜［００５８］、図１）
【発明の開示】
【発明が解決しようとする課題】
【０００４】
通常、インターネット・サービス・プロバイダ（ＩＳＰ；Internet service provider）や電子商取引サイト（ＥＣサイト；electronic commerce site）等のコンテンツ提供者によりインターネット上で提供されるコンテンツの情報量が極めて多い。このため、ブラウザ画面の１画面にすべての情報を表示することができず、マウスやカーソルキー等を操作することにより、ブラウザ画面を上下にスクロールするように構成されている。
【０００５】
ところが、上記した従来の映像表示装置では、上記特許文献１の図５及び図６に示すように、テレビ画面とブラウザ画面とを同じアスペクト比でディスプレイに表示している。従って、上記特許文献１の図６に示すように、ディスプレイのアスペクト比（例えば、３：４）と、テレビ画面のアスペクト比（例えば、９：１６）とが異なっている場合には、テレビ画面及びブラウザ画面のいずれも上下に縮小されて表示されるとともに、ディスプレイの上下に画像や文字が何ら表示されない領域（以下、「無表示領域」と称する。）ができてしまう。この場合、ユーザがマウスやカーソルキー等を操作することにより、ブラウザ画面を上下にスクロールしたとしても、上記無表示領域には何ら表示されない。即ち、無表示領域は何ら活用されず、ユーザにとってはブラウザ画面を上下にスクロールさせる量が上記図５の場合と図６の場合とでは異ならないため、操作性の点で不満が残る。
【０００６】
本発明は、上述した事情に鑑みてなされたものであり、上述のような課題を解決することができる映像表示装置及び多画面表示方法を提供することを目的とする。
【課題を解決するための手段】
【０００７】
上記課題を解決するために、請求項１に記載の発明に係る映像表示装置は、テレビ画面とインターネットに接続して得られたブラウザ画面が同時にディスプレイに表示可能な映像表示装置に係り、前記ディスプレイの表示領域を前記テレビ画面を表示すべきテレビ画面表示領域と、前記ブラウザ画面を表示すべきブラウザ画面表示領域とに分割し、前記テレビ画面表示領域には、映像信号から得られる前記テレビ画面をそのアスペクト比を維持して前記テレビ画面表示領域の解像度に適合させて表示するとともに、前記ブラウザ画面表示領域には、前記ブラウザ画面を当該表示領域全体にわたって表示することを特徴としている。
【０００８】
また、請求項２に記載の発明に係る映像表示装置は、テレビ画面とインターネットに接続して得られたブラウザ画面が同時にディスプレイに表示可能な映像表示装置に係り、前記インターネットに接続して得られたデータに基づいて、前記ディスプレイの表示領域のうち、前記ブラウザ画面を表示すべきブラウザ画面表示領域を決定するとともに、前記ディスプレイの表示領域のうち、残りの表示領域を前記テレビ画面を表示すべきテレビ画面表示領域と決定し、前記ブラウザ画面表示領域には、前記ブラウザ画面を当該表示領域全体にわたって表示するとともに、前記テレビ画面表示領域には、映像信号から得られる前記テレビ画面をそのアスペクト比を維持して前記テレビ画面表示領域の解像度に適合させて表示することを特徴としている。
【０００９】
また、請求項３記載の発明は、請求項２に記載の映像表示装置に係り、前記インターネットに接続して得られたテキストデータに含まれる表示のために最適化された水平方向のドット数に関する文字列、前記インターネットに接続して得られた画像データの表示のために最適な縦横比、前記インターネットに接続して得られた前記テキストデータの１行当たりの最大文字数のいずれかに基づいて、前記ブラウザ画面表示領域を決定することを特徴としている。
【００１０】
また、請求項４記載の発明は、請求項１乃至３のうちのいずれかに記載の映像表示装置に係り、前記テレビ画面と前記ブラウザ画面とを合成した画面に関する映像信号を外部モニタに供給することを特徴としている。
【００１１】
また、請求項５記載の発明に係る多画面表示方法は、テレビ画面とインターネットに接続して得られたブラウザ画面が同時にディスプレイに表示可能な映像表示装置における多画面表示方法に係り、前記ディスプレイの表示領域を前記テレビ画面を表示すべきテレビ画面表示領域と、前記ブラウザ画面を表示すべきブラウザ画面表示領域とに分割し、前記テレビ画面表示領域には、映像信号から得られる前記テレビ画面をそのアスペクト比を維持して前記テレビ画面表示領域の解像度に適合させて表示するとともに、前記ブラウザ画面表示領域には、前記ブラウザ画面を当該表示領域全体にわたって表示することを特徴としている。
【００１２】
また、請求項６記載の発明に係る多画面表示方法は、テレビ画面とインターネットに接続して得られたブラウザ画面が同時にディスプレイに表示可能な映像表示装置における多画面表示方法に係り、前記インターネットに接続して得られたデータに基づいて、前記ディスプレイの表示領域のうち、前記ブラウザ画面を表示すべきブラウザ画面表示領域を決定するとともに、前記ディスプレイの表示領域のうち、残りの表示領域を前記テレビ画面を表示すべきテレビ画面表示領域と決定し、前記ブラウザ画面表示領域には、前記ブラウザ画面を当該表示領域全体にわたって表示するとともに、前記テレビ画面表示領域には、映像信号から得られる前記テレビ画面をそのアスペクト比を維持して前記テレビ画面表示領域の解像度に適合させて表示することを特徴としている。
【００１３】
また、請求項７記載の発明は、請求項６に記載の多画面表示方法に係り、前記インターネットに接続して得られたテキストデータに含まれる表示のために最適化された水平方向のドット数に関する最適化文字列を検索し、前記最適化文字列があった場合には、前記文字列に基づいて、前記ブラウザ画面表示領域を決定する第１のステップと、前記最適化文字列がなかった場合には、前記インターネットに接続して得られたデータについて、画像データがあるか否かを検索し、前記画像データがあった場合には、全部又は一部の前記画像データの縦横比に基づいて、前記ブラウザ画面表示領域を決定する第２のステップと、前記インターネットに接続して得られたデータに前記最適化文字列及び前記画像データがなかった場合には、前記テキストデータの１行当たりの最大文字数を求め、前記最大文字数を有する行に基づいて、前記ブラウザ画面表示領域を決定する第３のステップとを有することを特徴としている。
【発明の効果】
【００１４】
本発明によれば、テレビ画面とブラウザ画面が同時に表示可能な映像表示装置において、少ないスクロール量でホームページを閲覧することができる。このため、良好な操作性が得られる。
【発明を実施するための最良の形態】
【００１５】
実施の形態１．
図１は、本発明の実施の形態１に係る映像表示装置の一部の構成を示すブロック図である。本実施の形態１に係る映像表示装置は、アンテナ１に接続され、選局部２と、映像処理部３と、通信部４と、ブラウザ信号処理部５と、２画面合成部６と、表示部７と、制御部８と、操作部９と、記憶部１０とを有している。
【００１６】
選局部２は、制御部８から供給される制御信号に基づいて、アンテナ１で受信された複数チャンネルの放送信号の中から、操作者が操作部９を操作することにより選局したチャンネルの放送信号について復調や誤り訂正等を行って、映像信号ＶＴを出力する。ここで、各種の放送信号としては、例えば、地上波アナログ放送、地上波デジタル放送、ＢＳアナログ放送、ＢＳデジタル放送、ＣＳアナログ放送、ＣＳデジタル放送のそれぞれの放送信号がある。
【００１７】
映像処理部３は、制御部８から供給される制御信号に基づいて、選局部２から供給される映像信号ＶＴに対して、ＩＰ（Interlace to Progressive）変換、スケーリング、デジタルＲＧＢ変換等の映像処理を施して映像信号ＶＤとして出力する。ＩＰ変換は、飛び越し走査（インターレース）方式の映像信号を順次走査（プログレッシブ）方式の映像信号に変換する処理である。スケーリングは、映像信号により表現される映像の解像度が表示部７に表示される映像の解像度と異なる場合に当該映像信号に対して映像の表示位置や大きさ等を調整する処理である。デジタルＲＧＢ変換は、アナログの映像信号をデジタル赤信号、デジタル緑信号、デジタル青信号からなるデジタルＲＧＢ・映像信号に変換する処理である。
【００１８】
通信部４は、モデム、ターミナルアダプタ、あるいはルータ等を有している。通信部４は、ＩＳＰやＥＣサイト等のコンテンツ提供者等のサーバ（図示略）と図示せぬネットワークを介して接続し、上記コンテンツ提供者等により提供されるコンテンツに関するブラウザ信号ＢＳを出力する。ブラウザ信号処理部５は、制御部８から供給される制御信号に基づいて、通信部４から供給されるブラウザ信号ＢＳを処理して、テキストデータや画像データ等からなるブラウザデータＢＤを出力する。
【００１９】
２画面合成部６は、映像処理部３から供給される映像信号ＶＤと、ブラウザ信号処理部５から供給されるブラウザデータＢＤとをそれぞれ数フレーム分記憶する表示メモリを有している。２画面合成部６は、制御部８から供給される制御信号に基づいて、上記表示メモリを用いて上記映像信号ＶＤと上記ブラウザデータＢＤとを処理して、テレビ画面とブラウザ画面とからなる２画面を合成した映像信号ＶＰを生成する。
【００２０】
表示部７は、例えば、ＣＲＴディスプレイ、液晶ディスプレイ（ＬＣＤ；Liquid Crystal Display）、エレクトロルミネセンス（ＥＬ：electroluminescence）ディスプレイ、あるいはプラズマディスプレイパネル（ＰＤＰ；Plasma Display Panel）等のディスプレイ１１（図２参照）を有している。制御部８は、中央処理装置（ＣＰＵ）、デジタルシグナルプロセッサ（ＤＳＰ）、シーケンサ等を有し、記憶部１０に記憶された各種プログラムを実行したりすることにより、この映像表示装置の各部を制御する。
【００２１】
操作部９は、リモコンと、リモコン受信部と、本体操作部とを有している。リモコンには、一般的なテレビジョン受信機に用いられるリモコンと同様、電源ボタン、チャンネルボタン、入力切換ボタン、音量増加ボタン、音量減少ボタン、登録ボタン、上カーソルボタン、下カーソルボタン、左カーソルボタン、右カーソルボタン、決定ボタン等の各種のボタンが設けられている。リモコン受信部は、リモコンからの赤外線パルスの制御信号を受信し、電気信号の制御信号に変換して制御部８に供給する。本体操作部は、例えば、映像表示装置本体の右下部に設けられ、電源ボタン、入力切換ボタン、チャンネル増加ボタン、チャンネル減少ボタン、音量増加ボタン、音量減少ボタン、登録ボタン、上カーソルボタン、下カーソルボタン、左カーソルボタン、右カーソルボタン、決定ボタンなど各種のボタンから構成されている。各ボタンの用途及び機能は、上記リモコンを構成する同一名称のボタンの用途及び機能とそれぞれ同一である。本体操作部は、操作者により操作されたボタンに対応した制御信号を制御部８に供給する。
【００２２】
記憶部１０は、ＲＡＭやＲＯＭ、あるいはフラッシュメモリ等の半導体メモリからなり、制御部８が実行する各種プログラムや、操作者が操作部９を操作することにより入力したデータ等が記憶される。また、記憶部１０は、制御部８が各種プログラムを実行する際に作業用として使用される。なお、記憶部１０に記憶される各種プログラムや一部のデータについては、制御部８を構成するＣＰＵ内部に設けられたメモリに記憶されると構成しても良い。
【００２３】
なお、映像表示装置には、上記した映像に関連した各構成要素の他、音声に関連した様々な構成要素が設けられているが、それらの各構成要素は、本発明には直接関係しないので、その説明を省略する。
【００２４】
次に、上記構成の映像表示装置の動作について説明する。まず、前提として、表示部７を構成するディスプレイ１１は、図２に示すように、フルＨＤ（横１９２０ドット、縦１０８０ドット）の解像度を有し、テレビ画面（テレビ画面表示領域）１１ａとブラウザ画面（ブラウザ画面表示領域）１１ｂとは、ディスプレイ１１の表示領域の水平方向中央に境界があるものとする。従って、テレビ画面１１ａ及びブラウザ画面１１ｂは、共に、横９６０ドット、縦１０８０ドットの解像度を有していることになる。
【００２５】
このような状態において、操作者の一人（小学１年生、男子）が操作部９を構成するリモコンのチャンネルボタンを操作して所望のチャンネルを選択したとする。これにより、リモコン受信部は、リモコンからの赤外線パルスの制御信号を受信し、電気信号の制御信号に変換して制御部８に供給する。従って、制御部８は、リモコン受信部からの制御信号に基づいて、操作者の一人が選択したチャンネルに対応した制御信号を選局部２に供給する。
【００２６】
操作者の一人が選択したチャンネルに対応した制御信号を制御部８から供給されると、選局部２は、アンテナ１で受信された複数チャンネルの放送信号の中から、操作者の一人が操作部９を操作することにより選局したチャンネルの放送信号について復調や誤り訂正等を行って、映像信号ＶＴを出力する。今、操作者の一人は、関東テレビの「こちら矢板公園前派出所」というアニメーション番組（毎週日曜日午後７時放送中）を視聴するために、リモコンの関東テレビに対応したチャンネルボタン（例えば、チャンネルボタン「８」。）を操作したとする。従って、選局部２は、関東テレビのチャンネルの放送信号を選択して対応する映像信号ＶＴを出力する。
【００２７】
映像信号ＶＴが選局部２から供給されると、映像処理部３は、映像信号ＶＴに対して、スケーリング等の各種の映像処理を施して映像信号ＶＤとして出力する。今、関東テレビのチャンネルの放送信号が地上波アナログ放送の放送信号であるとすると、地上波アナログ放送の放送信号に対応した映像信号ＶＴにより表現される映像の解像度は、通常、横６４０ドット、縦４８０ドットである。従って、映像処理部３は、横６４０ドット、縦４８０ドットの解像度となる映像信号ＶＴに対して、表示部７を構成するディスプレイ１１のテレビ画面１１ａ（解像度：横９６０ドット、縦１０８０ドット）に対応するように、映像の表示位置や大きさ等を調整する。即ち、解像度が横９６０ドット、縦７２０ドットとなるように伸張処理を施す。
【００２８】
一方、関東テレビのチャンネルの放送信号が地上波デジタル放送の放送信号であるとすると、地上波デジタル放送の放送信号に対応した映像信号ＶＴにより表現される映像の解像度には、フルＨＤ（横１９２０ドット、縦１０８０ドット）であるものがある。従って、映像処理部３は、映像信号ＶＴの解像度が横１９２０ドット、縦１０８０ドットである場合には、上記映像信号ＶＴに対して、表示部７を構成するディスプレイ１１のテレビ画面１１ａ（解像度：横９６０ドット、縦１０８０ドット）に対応するように、映像の表示位置や大きさ等を調整する。即ち、解像度が横９６０ドット、縦５４０ドットとなるように収縮処理を施す。このように、映像処理部３は、選択されたチャンネルの放送信号の放送形態に応じて、そのアスペクト比を変更することなく、水平方向がディスプレイ１１のテレビ画面１１ａの解像度（今の場合、９６０ドット）に適合するようにスケーリング処理を行う。
【００２９】
また、操作者の他の一人（社会人、男性、操作者の一人の父親）がフォルト株式会社という総合家庭電化製品メーカのオフィシャルホームページを閲覧するために、操作部９を構成するリモコンを操作してブラウザの起動を指示したとする。これにより、リモコン受信部は、リモコンからの赤外線パルスの制御信号を受信し、電気信号の制御信号に変換して制御部８に供給する。従って、制御部８がリモコン受信部からの制御信号に基づいて、ブラウザ信号処理部５にブラウザの起動を指示するので、ブラウザ信号処理部５は、ブラウザを起動する。
【００３０】
次に、操作者の他の一人は、リモコンを操作して、フォルト株式会社のオフィシャルホームページを閲覧するために、フォルト株式会社のオフィシャルホームページのＵＲＬ（Uniform Resource Locator）アドレスを入力する。これにより、ブラウザ信号処理部５（厳密には、起動されたブラウザ）は、通信部４及び図示せぬネットワークを介して図示せぬフォルト株式会社のサーバに接続し、通信部４から供給されるブラウザ信号ＢＳを処理して、上記フォルト株式会社のオフィシャルホームページに関するテキストデータや画像データ等からなるブラウザデータＢＤを出力する。この場合、ブラウザ信号処理部５は、制御部８から供給される制御信号に基づいて、上記ブラウザデータＢＤについて、表示部７を構成するディスプレイ１１のブラウザ画面１１ｂ（解像度：横９６０ドット、縦１０８０ドット）に対応するように、映像の表示位置や大きさ等を調整する。
【００３１】
これにより、２画面合成部６は、制御部８から供給される制御信号に基づいて、映像処理部３から供給される映像信号ＶＤと、ブラウザ信号処理部５から供給されるブラウザデータＢＤとについて、内蔵されている表示メモリを用いて処理して、テレビ画面とブラウザ画面とからなる２画面を合成した映像信号ＶＰを生成し、表示部７に供給する。
【００３２】
図３は、表示部７を構成するディスプレイ１１に表示されるテレビ画面１１ａとブラウザ画面１１ｂの一例を示す図である。図３に示すテレビ画面１１ａには、関東テレビの「こちら矢板公園前派出所」というアニメーション番組の一場面（解像度：横６４０ドット、縦４８０ドット）が横９６０ドット、縦７２０ドットの解像度となるように伸張処理が施されて表示されている。従って、テレビ画面１１ａの上下には、無表示領域１２ａ及び１２ｂが存在する。一方、図３に示すブラウザ画面１１ｂには、フォルト株式会社のオフィシャルホームページがその表示領域全体にわたって表示されている。即ち、ブラウザ画面１１ｂには、無表示領域は存在しない。
【００３３】
このように、本発明の実施の形態１によれば、１個のディスプレイ１１にテレビ画面１１ａとブラウザ画面１１ｂとの２画面を同時に表示する際に、テレビ画面１１ａには、選択されたチャンネルの放送信号の放送形態に応じて、そのアスペクト比を変更することなく、水平方向がディスプレイ１１のテレビ画面１１ａの解像度に適合するようにスケーリング処理を行って表示している。一方、ブラウザ画面１１ｂでは、アスペクト比を維持する必要がないので、表示領域全体にわたって画面を表示している。この結果、ブラウザ画面１１ｂに一度に表示される情報量が従来（特許文献１参照）に比べて多いため、操作者は、少ないスクロール量でホームページを閲覧することができ、操作性が良好である。
【００３４】
図４は、本実施の形態１に係る映像表示装置と比較するために、上記した特許文献１に記載された従来の映像表示装置でディスプレイ２１に表示されると想定されるテレビ画面２１ａとブラウザ画面２１ｂの一例を示す図である。図４に示すブラウザ画面２１ｂでは、テレビ画面２１ａに上下に存在する無表示領域２２ａ及び２２ｂと同様に、上下に無表示領域２３ａ及び２３ｂが存在しており、何ら活用されていない。また、図４に示すブラウザ画面２１ｂでは、図３に示すブラウザ画面１１ｂと比べて、上下にスクロールさせる量が多い。また、図４に示すブラウザ画面２１ｂでは、表示領域においても、上下が縮小されているので、特に細かい文字等が見づらい。
【００３５】
実施の形態２．
上述の実施の形態１では、ディスプレイ１１の表示領域の水平方向中央にテレビ画面１１ａとブラウザ画面１１ｂとの境界を設定するとともに、テレビ画面１１ａをブラウザ画面１１ｂに優先させて２画面の表示割合を設定する例を示した。しかし、これに限定されない。例えば、以下に示す手順により、ブラウザ画面をテレビ画面に優先させて２画面の表示割合を設定するように構成しても良い。
【００３６】
（１）  上記ブラウザ信号処理部５から出力されるブラウザデータＢＤを構成するテキストデータの中には、水平方向のドット数について、例えば、１０２４ドット、７６８ドット、あるいは、６４０ドットで最適化されている旨の注意書き（最適化文字列）がある場合がある。そこで、上記テキストデータについて、上記した注意書きがあるか否か文字検索をして、あった場合には、その最適化のドット数に応じてブラウザ画面の横幅を決定する。
（２）  上記文字検索をした結果、上記注意書きがなかった場合には、上記ブラウザ信号処理部５から出力されるブラウザデータＢＤについて、画像データがあるか否かを検索し、あった場合には、全部又は一部の画像データが見やすい縦横比となるように、ブラウザ画面の横幅を決定する。
【００３７】
（３）  上記注意書きがなく、かつ、画像データもなかった場合には、上記テキストデータの１行当たりの最大文字数を求め、この最大文字数を有する行が見やすくなるように、ブラウザ画面の横幅を決定する。
（４）  上記した（１）〜（３）に示す手順により決定されたブラウザ画面の横幅を除いたディスプレイ１１の残りの表示領域をテレビ画面として設定する。
（５）  映像処理部３において、選択されたチャンネルの放送信号の放送形態に応じて、映像信号ＶＴについて、そのアスペクト比を変更することなく、水平方向が（４）で設定されたテレビ画面の解像度に適合するようにスケーリング処理を行って表示する。
【００３８】
このように、本発明の実施の形態２によれば、上述した実施の形態１により得られる効果の他、ブラウザ画面がより見やすくなるという効果がある。
【００３９】
実施の形態３．
上述の各実施の形態では、内蔵されたディスプレイにテレビ画面とブラウザ画面の２画面を表示する例を示したが、これに限定されない。例えば、２画面合成部６から出力される映像信号ＶＰを外部モニタに供給するように構成しても良い。この場合、本実施の形態３に係る映像表示装置と上記外部モニタとが、デジタル・ディスプレイ向けのデジタル伝送インターフェイスの１種であるＤＶＩ（Digital Visual Interface）により接続可能ならば、上記外部モニタからその解像度に関するデータが供給される。従って、映像処理部３、ブラウザ信号処理部５、２画面合成部６及び制御部８は、外部モニタから供給された解像度に関するデータに基づいて、それぞれの処理を実行することができる。
【００４０】
このように、本発明の実施の形態３によれば、上述した実施の形態１により得られる効果の他、内蔵されたディスプレイ１１だけでなく、外部モニタにも最適化されたテレビ画面とブラウザ画面とからなる２画面を表示することができ、汎用性が向上するという効果がある。
【００４１】
実施の形態４．
上述の各実施の形態では、テレビ画面１１ａには、アンテナ１で受信され、選局部２で選局されたチャンネルの放送信号を処理した映像信号ＶＤを表示する例を示したが、これに限定されない。最近の映像表示装置の中には、各種の録画再生機器あるいはこれら複数の録画再生機器の機能を有した複合機器又はチューナ等の多くの外部機器が接続できるように複数の外部入力端子を有しているものがある。上記録画再生機器としては、例えば、ＤＶＤプレーヤ、ハードディスクレコーダ（ＨＤＤ）、ビデオテープレコーダ（ＶＴＲ）、ビデオカメラ等がある。そこで、テレビ画面１１ａには、上記外部機器から出力され、上記外部入力端子から入力された映像信号を処理した映像信号ＶＤを表示するように構成しても良い。このように構成すれば、汎用性が向上する。
【００４２】
実施の形態５．
上述の各実施の形態では、テレビ画面１１ａに無表示領域１２ａ及び１２ｂが存在する場合にそれを活用することについては特に考慮していないが、これに限定されない。例えば、無表示領域１２ａ又は１２ｂのいずれか一方又は両方に、ブラウザ画面１１ｂを構成するテキストデータ又は画像データの一部を表示するように構成しても良い。このように構成すれば、表示領域をより有効に活用することができる。
【００４３】
実施の形態６．
上述の各実施の形態では、表示部７を構成するディスプレイに１個のテレビ画面と１個のブラウザ画面の２画面を表示する例を示したが、これに限定されない。例えば、図５に示すように、表示部７を構成するディスプレイの表示領域を左右に分割し、左側の表示領域に２個のテレビ画面１１ａ１及び１１ａ２をそれぞれ表示するとともに、右側の表示領域に１個のブラウザ画面１１ｂを表示するように構成しても良い。さらに、図６に示すように、表示部７を構成するディスプレイの表示領域を上下左右に４分割し、左側の２つの表示領域に２個のテレビ画面１１ａ１及び１１ａ２をそれぞれ表示するとともに、右上側の表示領域に１個のブラウザ画面１１ｂ１を表示し、右下側の表示領域に１個のテレビ画面１１ｂ２を表示するように構成しても良い。表示領域の分割数及び分割割合、テレビ画面及びブラウザ画面それぞれの表示個数及び表示位置は任意に設定可能に構成しても良い。
【００４４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
また、上述の各実施の形態は、その目的及び構成等に特に矛盾や問題がない限り、互いの技術を流用することができる。
【図面の簡単な説明】
【００４５】
【図１】本発明の実施の形態１に係る映像表示装置の一部の構成を示すブロック図である。
【図２】図１に示す映像表示装置を構成する表示部のディスプレイに表示されるテレビ画面とブラウザ画面の表示割合の一例を示す概念図である。
【図３】図１に示す映像表示装置を構成する表示部のディスプレイに表示されるテレビ画面とブラウザ画面の一例を示す図である。
【図４】従来技術の不都合点を説明するための図である。
【図５】本発明の実施の形態６に係る映像表示装置を構成する表示部のディスプレイに表示されるテレビ画面とブラウザ画面の表示割合の一例を示す概念図である。
【図６】本発明の実施の形態６に係る映像表示装置を構成する表示部のディスプレイに表示されるテレビ画面とブラウザ画面の表示割合の他の例を示す概念図である。
【符号の説明】
【００４６】
１  アンテナ
２  選局部
３  映像処理部
４  通信部
５  ブラウザ信号処理部
６  ２画面合成部
７  表示部
８  制御部
９  操作部
１０  記憶部
１１，２１  ディスプレイ
１１ａ，１１ａ１，１１ａ２，１１ｂ２，２１ａ  テレビ画面
１１ｂ，１１ｂ１，２１ｂ  ブラウザ画面
１２ａ，１２ｂ，２２ａ，２２ｂ，２３ａ，２３ｂ  無表示領域
【図１】
2008079077.tif 000003
【図２】
2008079077.tif 000004
【図３】
2008079077.tif 000005
【図４】
2008079077.tif 000006
【図５】
2008079077.tif 000007
【図６】
2008079077.tif 000008